(57)【要約】【課題】特定の手相線の形成を促し、又はこれらを明確化して強調するために使用することが可能で、使用者の要望に、より好適に対応できる手相形成促進用手袋を提供する。【解決手段】手袋本体１を備え、この手袋本体１の掌部分及び手指部分には互いに接着可能な接着部（面ファスナー２ａ、２ｂ）が形成されている。これらの接着部（面ファスナー２ａ、２ｂ）を互いに接触させ、手指部分と掌部分又は／及び手指部分どうしが接合された所定の態様を選択して保持することで、運命性、太陽線のような特定の手相線の形成又は明確化を促す。【選択図】図１
0003165619.tif 000002
【実用新案登録請求の範囲】
【請求項１】
各手指と掌をそれぞれ覆うように形成された手相形成促進用手袋であって、
手袋本体を備え、
この手袋本体の掌部分及び手指部分には互いに接着可能な接着部が設けられ、
これらの接着部を接触させることにより、手指部分と掌部分又は／及び手指部分どうしが接合された状態を保持することが可能なことを特徴とする手相形成促進用手袋。
【請求項２】
少なくとも一の手指を折曲げた状態が保持可能なように、前記手袋本体の複数の手指部分には第１の接着部を設け、また掌部分には、前記第１の接着部と互いに接着可能な第２の接着部を設けたことを特徴とする請求項１に記載の手相形成促進用手袋。
【請求項３】
前記手袋本体の複数の手指部分のうち、一方の手指部分には第１の接着部を設け、他方の手指部分には第２の接着部を設けて、前記第１の接着部と第２の接着部は互いに接着可能とし、少なくとも一対の手指どうしを接合可能としたことを特徴とする請求項１に記載の手相形成促進用手袋。
【請求項４】
少なくとも一の手指を折曲げた状態が保持可能なように、前記掌部分には、一方の手指部分に設けた第１の接着部と互いに接着可能な第２の接着部、及び他方の手指部分に設けた第２の接着部と互いに接着可能な第１の接着部をそれぞれ設けたことを特徴とする請求項３に記載の手相形成促進用手袋。
【請求項５】
前記接着部は、面ファスナー類又は点ファスナー類としたことを特徴とする請求項１から３のいずれかに記載の手相形成促進用手袋。
【考案の詳細な説明】
【技術分野】
【０００１】
本考案は、手相を改善するための用具に関するものである。
【背景技術】
【０００２】
手相学においては、人の掌が有する様々な特徴に人の運勢が表れていると考えられている。このような、運勢を表すとされている人の掌上に存在する特徴部分を手相という。近年、この手相を用いて自らの将来を占う手相占いが盛んである。特に、掌の皺によって形成された手相線と呼ばれる手相線には、その人の性格や、その人生で起こる様々な事柄の内容、その事柄が起こる時期等が表れているとされ、手相を鑑定する上で重視される。
【０００３】
手相を鑑定してもらった結果、手相が悪いと判断されると、不安や喪失感に見舞われ、常に否定的な心理的反応を生じるようになり、自信や希望、前向きな姿勢を取ることができなくなってしまう人が少なくない。このような問題を解決するため、悪い手相を改善する手段として、従来、掌の外観を変える、もしくは掌に既存の良好な手相線を更に強調する方法が提案されている。例えば、掌に直接的に線を書き込む方法、外科的手術により皺を形成する方法、針による治療や電磁波、摩擦による治療等が提案されている。中でも外科的に掌に傷をつけたりする必要がなく、誰でも簡単に実施できる手相改善方法として、手にバンド状の用具を巻きつけて掌に皺を形成する方法が従来から存在している（例えば、特許文献１を参照）。
【先行技術文献】
【特許文献】
【０００４】
【特許文献１】特開２００４−３２１３６１号公報
【特許文献２】実用新案登録第３１６１６０９号公報
【０００５】
しかしながら、特許文献１に記載の用具を手に取り付ける際に、ずれることなく毎回正しい取り付け位置に正確に用具を装着することは困難であり、取り付け位置がずれてしまったことにより、本来意図していた良好な手相線を形成することができない問題があった。
【０００６】
また、特許文献１、２に記載のものは、手などの全体について、縦方向の手相線の形成等を促す一方、横方向の手相線を次第に減少させるものであって、特定の手相線（運命線、太陽線等）の形成や明確化を、直接に促すためのものではない。
そこで、例えば、運命線、太陽線というような特定の手相線の形成を促進させたり、また、これらを明確にして強調するものが提供できれば、使用者の様々な要求に対して、より適切に応えることが可能となる。
【考案の概要】
【考案が解決しようとする課題】
【０００７】
本考案の目的は、上記のような問題点を解決して特定の手相線の形成を促し、又はこれらを明確化して強調するために使用することが可能で、使用者の要望に対して、より適切に対応できる手相形成促進用手袋を提供することにある。
【課題を解決するための手段】
【０００８】
上記課題を解決するため、本考案にかかる手相形成促進用手袋は、各手指、掌をそれぞれ覆うように形成された手相形成促進用手袋であって、手袋本体を備え、この手袋本体の掌部分及び手指部分には互いに接着可能な接着部が設けられ、これらの接着部を接触させることにより、手指部分と掌部分又は／及び手指部分どうしが接合された状態を保持することが可能なことを特徴とする。
【０００９】
少なくとも一の手指を折曲げた状態が保持可能なように、前記手袋本体の複数の手指部分には第１の接着部を設け、また掌部分には、前記第１の接着部と互いに接着可能な第２の接着部を設けたることができる。
【００１０】
前記手袋本体の複数の手指部分のうち、一方の手指部分には第１の接着部を設け、他方の手指部分には第２の接着部を設けて、前記第１の接着部と第２の接着部は互いに接着可能とし、少なくとも一対の手指どうしを接合可能とすることができる。この場合、少なくとも一の手指を折曲げた状態が保持可能なように、前記掌部分には、一方の手指部分に設けた第１の接着部と互いに接着可能な第２の接着部、及び他方の手指部分に設けた第２の接着部と互いに接着可能な第１の接着部をそれぞれ設けることが好適である。
【００１１】
接着部は、所定時間にわたり接着状態を保持できるものであれば、どのようなものでもよい。例えば、粘着テープ等が使用できる。但し、着脱自在な構造を備えたものであればより好ましい。この場合は、面ファスナー類、例えば、フック状の突起が表面に形成されたシートとループ状に起毛された面を有するシートとが一組みとなった留め具、もしくは、キノコ状ステム（突起）をかみ合わせることで、同一構造を備えたシートどうしを着脱可能としたシート状ファスナー等が使用できる。また、点ファスナー類、例えば、スナップボタン等を使用することもできる。
【００１２】
また、手袋本体の掌面等に、運命線、太陽線等の主要な手相線の一般的な位置を示しておくことで、本考案にかかる手袋を装着していても、使用者が強調または形成したい手相線がどのような位置にあるのかを、把握し易くすることができる。
【００１３】
本考案にかかる手相形成促進用手袋によれば、誰でも簡単にかつ効率的に良好な手相の形成を促進することが可能である。例えば、運命線、太陽線といった特定の手相線の形成促進や強調のために使用することができるので、使用者の要望に対し、より適切に対応することができる。
【図面の簡単な説明】
【００１４】
【図１】掌側から見た実施形態１にかかる手相形成促進用手袋の正面図である。
【図２】甲側から見た実施形態１にかかる手相形成促進用手袋の背面図である。
【図３】掌における人差し指から中指にかけての運命線を示す図である。
【図４】実施形態１にかかる手袋による人差し指から中指にかけての運命線を明確に形成するための手指の固定状態を示す図である。
【図５】掌における中指下の運命線を示す図である。
【図６】実施形態１にかかる手袋による中指下の運命線の形成または明確化を促すための手指の固定状態を示す図である。
【図７】掌における薬指下の太陽線を示す図である。
【図８】薬指下の太陽線を明確に形成するための手指の固定状態を示す図である。
【図９】掌における小指下の財運線を示す図である。
【図１０】小指下の財運線を明確に形成するための手指の固定状態を示す図である。
【図１１】掌における結婚線を示す図である。
【図１２】結婚線を明確に形成するための手指の固定状態を示す図である。
【図１３】掌側から見た施形態２にかかる手相形成促進用手袋の正面図である。
【図１４】甲側から見た実施形態２にかかる手相形成促進用手袋の背面図である。
【図１５】掌における太陽線を示す図である。
【図１６】実施形態２にかかる手相形成促進用手袋を用いて、図１７に示す太陽線の形成を促すための手指の固定状態を示す図である。
【考案を実施するための形態】
【００１５】
以下、本考案の好ましい実施の形態を説明する。図１及び図２には、本考案の実施形態１にかかる手袋が示されている。
図１に示すように、本考案に係る手相形成促進用手袋は、手指の一本ずつを分離して覆う一般的な形態のものである。この手袋は、通常、左右一対のものであるが、右手用又は左手用として独立して使用することもできる。
図示する手袋本体１は、その掌側または甲側に形成した接着部としての面ファスナー（フック状面）２ａ、面ファスナー（ループ状面）２ｂとを備えている。面ファスナー（フック状面）２ａと面ファスナー（ループ状面）２ｂを互いに押し付けると貼り付くようになっており、適宜、貼り付けたり剥がしたりすることが可能である。手袋本体１は、位置ずれが生じないように手にしっかり装着することが可能で、所定位置に接着部を形成することが可能であればよく、図示した一般的な形態のものの他、指先が露出するタイプや、一部の指が露出するタイプ、手の甲や掌の一部が露出するタイプ等であってもよい。また、手袋本体１は、綿、ゴム、ナイロン等、通常手袋を作成する上で用いられる素材であればどのような素材を用いることも可能である。
【００１６】
また、手指と掌の境界に近い掌の上部に、手指の付け根に沿って左右方向に伸びる幅小のスリット１０が設けられている。このスリット１０は、手指を折曲げた状態としたとき、手袋本体１の手指の付け根に皺が生じ、手指を折曲げた状態が保持しにくくなるのを回避するためである。このスリット１０は、手袋本体１の素材や厚みによって設けることが好ましい場合に設けられる。例えば、手袋本体１の素材が薄くて柔らかい場合等、手指の折曲げ動作に影響が少なければ設けなくてもよい。
【００１７】
手袋本体１には、面ファスナー（フック状面）２ａが、親指３、人差し指４，中指５，薬指６及び小指７のそれぞれの掌側先端に設けられている。一方、面ファスナー（ループ状面）２ｂが掌側の中央に設けられ、その位置は、手指を折り曲げたとき、これらの先端が掌に接する部位となっている。
【００１８】
他方、図２に示すように、手袋本体１の甲側の面には、人差し指４の中央部分に面ファスナー（ループ状面）２ｂが設けられている。また、手袋本体１の手首側の開口部８には、面ファスナー（フック状面）２ａと面ファスナー（ループ状面）２ｂとを備えた調整部９が設けられ、手袋本体１の開口部の周囲の長さを調整可能としている。
【００１９】
次に、上述した実施形態１にかかる手袋の使用方法及び使用状態について説明する。
図３は、掌における人差指４から中指５にかけての運命線３１を示す図である。運命線は、男性の場合は主に仕事運、女性の場合は仕事運と家庭運を主に表している線とされる。これを、図３に示すように、中指５の下から人差指４にかけての線として形成を促し、又はこれを明確にするため、人差指４を折り曲げた状態に保持される時間をできるだけ長くする。この場合、手指を使用しない時間帯、例えば就寝時や安静時等において、図４に示すように、人差指４の先端の面ファスナー（ループ状面）２ｂに接触固定しておくことで、上記運命線３１の形成又は明確化を促すことができる。
【００２０】
図５は、掌における中指５の下の運命線３２を示す図である。これは略Ｙ字形の線であり、人差指４、薬指６及び小指７を折り曲げた状態に保持する時間を長くすることで、その形成又は明確化が促される。そこで、手指を使用しない時間帯、例えば就寝時や安静時等において、本実施形態１の手袋を装着して、図６に示すように、人差指４、薬指６及び小指７の先端の面ファスナー（フック状面）２ａを、掌中央の面ファスナー（ループ状面）２ｂに接触固定しておく。このとき、親指４に設けた面ファスナー（フック状面）２ａを、人差指５の甲側の中央に設けた面ファスナー（ループ状面）２ｂに接触固定することができる。
【００２１】
図７は、掌における薬指６の下（太陽丘）に刻まれる縦線状の太陽線３３を示す。太陽線は、主に仕事での評価・社会的成功の度合いを示し、明確に刻まれていることが好ましいといわれる。この太陽線は、人差指４、中指５及び小指７を折り曲げ、薬指６を立てた状態に保持する時間を長くすることで、その形成又は明確化が促される。そこで、手指を使用しないときに本実施形態１の手袋を装着し、図８に示すように、人差指４、中指５及び小指７の先端の面ファスナー（フック状面）２ａを、掌中央の面ファスナー（ループ状面）２ｂに接触固定しておくことができる。
【００２２】
図９は、掌における小指７の下の財運線３４を示す。財運線（金運線）は水星丘(小指の下)付近に縦に刻まれる線である。これは、人差指４、中指５及び薬指６を折り曲げた状態に保持する時間を長くすることで、その形成又は明確化が促される。そこで、手指を使用しないときに本実施形態１の手袋を装着し、図１０に示すように、人差し指４、中指５、及び薬指６の先端の面ファスナー（フック状面）２ａを、掌中央の面ファスナー（ループ状面）２ｂに接触固定しておくことができる。
【００２３】
図１１は、小指の付け根の下に位置し、小指の付け根と感情線との間にある結婚線３５を示す。結婚線は、小指７を折り曲げた状態に保持する時間を長くすることで、その形成又は明確化が促される。そこで、手指を使用しない時間帯、例えば就寝時や安静時等において、本実施形態１の手袋を装着し、図１２に示すように、小指７の先端の面ファスナー（フック状面）２ａを、掌中央の面ファスナー（ループ状面）２ｂに接触固定しておくことができる。
【００２４】
図１３は、本考案の実施形態２にかかる手相形成促進用手袋の正面図であり、図１４は、その背面図である。
この手相形成促進用手袋は、手指の一本ずつを分離して覆う一般的な形態のものであり、通常、左右一対のものであるが、右手用又は左手用として独立して使用することもできる。
図示された手袋本体１は、その掌側または甲側に形成した接着部としての面ファスナー（フック状面）２ａ及び面ファスナー（ループ状面）２ｂとを備えている。
【００２５】
手袋本体１には、面ファスナー（フック状面）２ａが、人差し指４、中指５のそれぞれの掌側先端と、掌側の中央の右側に設けられている。一方、面ファスナー（ループ状面）２ｂが、親指３、薬指６及び小指７のそれぞれの掌側先端と、掌側の中央の左側に設けられている。掌側の中央には、面ファスナー（フック状面）２ａと面ファスナー（ループ状面）２ｂとが並設されている。これらは、手指を折り曲げたとき、人差し指４、中指５のそれぞれの掌側先端が、掌側の中央の左側に設けられた面ファスナー（ループ状面）２ｂに接触固定され、一方、薬指６及び小指７のそれぞれの掌側先端が、掌側の中央の右側に設けられた面ファスナー（フック状面）２aに接触固定されるように位置している。
【００２６】
他方、図１４に示すように、手袋本体１の甲側の面には、親指３には面ファスナー（ループ状面）２ｂが、人差し指４には面ファスナー（フック状面）２ａが、それぞれ設けられている。
なお、図示しないが、実施形態１で説明したように、手袋本体１の手首側の開口部８には、面ファスナー（フック状面）と面ファスナー（ループ状面）とを備えた調整部を設けてもよい。
【００２７】
次に、本実施形態２にかかる手袋の使用方法及び使用状態の一例を説明する。
図１５に示すように、中指５の下から薬指６に向かう太陽線の形成又は明確化を促すため、実施形態１の説明では、図１６に示すように、人差指４、中指５及び小指７の先端の面ファスナー（フック状面）２ａを、掌中央の面ファスナー（ループ状面）２ｂに接触固定しておく方法を開示した。さらに別の方法として、中指５の外側（裏側）で人差指４と小指６が接触固定された状態に保持する時間を長くすることで、その形成又は明確化が促される。このようにすることで、より効果的にその形成又は明確化が促されるので好ましい。そこで、手指を使用しない時間帯、例えば就寝時や安静時等において、本実施形態１の手袋を装着して、図１８に示すように、中指５の外側（裏側）で人差指４のファスナー（フック状面）２ａと小指６の面ファスナー（ループ状面）２ｂとを接触固定しておくことができる。
【００２８】
このように、本実施形態２では、手指が互いに接合可能になるように、適宜、面ファスナー（フック状面）２ａと面ファスナー（ループ状面）２ｂとを配置した構成である。このようにすれば、手指の折曲げ状態の保持だけでなく、面ファスナー（フック状面）２ａと面ファスナー（ループ状面）２ｂを備えた手指どうしを接触固定できるので、手指の固定状態のバリエーションが増加する。したがって、手相線の形成や明確化に際し、より負担の少ない体勢の選択や、特定の手相線により有効に作用する状態が容易に得ることが可能となる。
【符号の説明】
【００２９】
１    手袋本体
２ａ  面ファスナー（フック状面）
２ｂ  面ファスナー（ループ状面）
３    親指
４    人差し指
５    中指
６    薬指
７    小指
８    開口部
９    調整部
１０  スリット
３１  運命線
３２  運命線
３３  太陽線
３４  財運線
【図１】
0003165619.tif 000003
【図２】
0003165619.tif 000004
【図３】
0003165619.tif 000005
【図４】
0003165619.tif 000006
【図５】
0003165619.tif 000007
【図６】
0003165619.tif 000008
【図７】
0003165619.tif 000009
【図８】
0003165619.tif 000010
【図９】
0003165619.tif 000011
【図１０】
0003165619.tif 000012
【図１１】
0003165619.tif 000013
【図１２】
0003165619.tif 000014
【図１３】
0003165619.tif 000015
【図１４】
0003165619.tif 000016
【図１５】
0003165619.tif 000017
【図１６】
0003165619.tif 000018